(57)【要約】      （修正有）【課題】より多くの気泡を含有した液体を安定して吐出することで洗浄性を向上させた口腔洗浄装置を提供する。【解決手段】口腔洗浄装置は、ノズルと、ノズルに対して液体を供給するポンプとを備え、ノズルは、流路の途中が他の部分よりも大きさの小さい縮小部を有し、ノズルとポンプとの間には、並列に配置された第一流路７１ｂ及び第二流路７２ｂとが設けられており、第一流路は、ポンプの吸い込み時にのみ当該第一流路を開状態とする第一逆止弁８１を有し、第二流路は、第一逆止弁とは逆方向に動作し、ポンプの吐出時にのみ当該第二流路を開状態とする第二逆止弁９１を有し、第一逆止弁における第一流路の内周面に対する第一接触面積は、第二逆止弁における第二流路の内周面に対する第二接触面積よりも大きい。【選択図】図１２
2020116000.tif 000002
【特許請求の範囲】
【請求項１】
ノズルと、
前記ノズルに対して液体を供給するポンプとを備え、
前記ノズルは、流路の途中が他の部分よりも大きさの小さい縮小部を有し、
前記ノズルと前記ポンプとの間には、並列に配置された第一流路及び第二流路とが設けられており、
前記第一流路は、前記ポンプの吸い込み時にのみ当該第一流路を開状態とする第一逆止弁を有し、
前記第二流路は、前記第一逆止弁とは逆方向に動作し、前記ポンプの吐出時にのみ当該第二流路を開状態とする第二逆止弁を有し、
前記第一逆止弁における前記第一流路の内周面に対する第一接触面積は、前記第二逆止弁における前記前記第二流路の内周面に対する第二接触面積よりも大きい
口腔洗浄装置。
【請求項２】
前記ポンプのシリンダに対して液体を案内する第三流路と、
前記第三流路に対して設けられ、前記ポンプの吸い込み時にのみ当該第三流路を開状態とする第三逆止弁とを有し、
前記第三逆止弁における前記第三流路の内周面に対する第三接触面積は、前記第二接触面積よりも大きい
請求項１に記載の口腔洗浄装置。
【請求項３】
前記第一逆止弁は、前記第一流路を開閉する円錐状の第一錐体部を有し、
前記第一流路は、内周面がテーパ状に形成された第一テーパ部を有し、
前記第一錐体部は、前記第一テーパ部の小径側の内周面に対して面接触している
請求項１または２に記載の口腔洗浄装置。
【請求項４】
前記第二逆止弁は、前記第二流路を開閉する円錐状の第二錐体部を有し、
前記第二流路は、内周面が二段式のテーパ状であって、大径側のテーパ角が大きく、小径側のテーパ角が小さいテーパ状に形成された第二テーパ部を有し、
前記第二錐体部は、前記第二テーパ部における小径側の内周面に対して面接触している
請求項３に記載の口腔洗浄装置。
【請求項５】
前記第三逆止弁は、前記第三流路を開閉する円錐状の第三錐体部を有し、
前記第三流路は、内周面がテーパ状に形成された第三テーパ部を有し、
前記第三錐体部は、前記第三テーパ部の内周面に対して面接触している
請求項３または４に記載の口腔洗浄装置。
【請求項６】
前記第一テーパ部、前記第三テーパ部、前記第一錐体部及び前記第三錐体部のそれぞれは同じテーパ角であり、
前記第一テーパ部の小径側の端部の断面積は、前記第三テーパ部の小径側の端部の断面積よりも小さい
請求項５に記載の口腔洗浄装置。
【発明の詳細な説明】
【技術分野】
【０００１】
本発明は、口腔洗浄装置に関する。
【背景技術】
【０００２】
従来、口腔洗浄装置においては、ノズルの流路の途中に他の部分よりも大きさの小さい縮小部を設けることで、吐出液体中に多数の気泡を含有させて、洗浄性を高めた口腔洗浄装置が知られている（例えば特許文献１参照）。
【先行技術文献】
【特許文献】
【０００３】
【特許文献１】特開２０１８−１２６２８２号公報
【発明の概要】
【発明が解決しようとする課題】
【０００４】
洗浄性を高めるべく、液体内により多くの気泡を含有させることが望まれている。
【０００５】
そこで、本発明は、より多くの気泡を含有した液体を安定して吐出することで洗浄性を向上させた口腔洗浄装置を提供することを目的とする。
【課題を解決するための手段】
【０００６】
上記目的を達成するため、本発明の一態様に係る口腔洗浄装置は、ノズルと、ノズルに対して液体を供給するポンプとを備え、ノズルは、流路の途中が他の部分よりも大きさの小さい縮小部を有し、ノズルとポンプとの間には、並列に配置された第一流路及び第二流路とが設けられており、第一流路は、ポンプの吸い込み時にのみ当該第一流路を開状態とする第一逆止弁を有し、第二流路は、第一逆止弁とは逆方向に動作し、ポンプの吐出時にのみ当該第二流路を開状態とする第二逆止弁を有し、第一逆止弁における第一流路の内周面に対する第一接触面積は、第二逆止弁における前記第二流路の内周面に対する第二接触面積よりも大きい。
【発明の効果】
【０００７】
本発明に係る口腔洗浄装置によれば、より多くの気泡を含有した液体を安定して吐出することができ、洗浄性を向上させることができる。
【図面の簡単な説明】
【０００８】
【図１】図１は、実施の形態１に係る口腔洗浄装置の概略構成を示す説明図である。
【図２】図２は、実施の形態１に係る口腔洗浄装置の内部構造を模式的に示す説明図である。
【図３】図３は、実施の形態１に係るノズルの概略構成を示す断面図である。
【図４】図４は、実施の形態１に係る流路モジュールの概略構成を示す断面図である。
【図５】図５は、実施の形態１に係る流路モジュールの概略構成を模式的に示す断面図である。
【図６】図６は、実施の形態１に係る第一バネの概略構成を示す斜視図である。
【図７】図７は、実施の形態１に係る第三逆止弁及びその周囲の構造の概略構成を模式的に示す断面図である。
【図８】図８は、実施の形態１に係る口腔洗浄装置において、吸い込み時の各部の状態を示す説明図である。
【図９】図９は、実施の形態１に係る口腔洗浄装置において、吐出時の各部の状態を示す説明図である。
【図１０】図１０は、比較例に係る口腔洗浄装置において、吸い込み時の各部の状態を示す説明図である。
【図１１】図１１は、比較例に係る口腔洗浄装置において、吐出時の各部の状態を示す説明図である。
【図１２】図１２は、実施の形態２に係る流路モジュールの概略構成を模式的に示す断面図である。
【図１３】図１３は、実施の形態２に係る第三逆止弁及びその周囲の構造の概略構成を模式的に示す断面図である。
【発明を実施するための形態】
【０００９】
以下では、本発明の実施の形態に係る口腔洗浄装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［実施の形態１］
まず、実施の形態１に係る口腔洗浄装置１０について説明する。図１は、実施の形態１に係る口腔洗浄装置１０の概略構成を示す説明図であり、図１の（ａ）は口腔洗浄装置１０の正面図であり、図１の（ｂ）は口腔洗浄装置１０の側面図である。図２は、実施の形態１に係る口腔洗浄装置１０の内部構造を模式的に示す説明図であり、図２の（ａ）は口腔洗浄装置１０の正面図であり、図２の（ｂ）は口腔洗浄装置１０の側面図である。図１及び図２に示すように、口腔洗浄装置１０は、ハンディタイプの口腔洗浄装置であり、ノズル２０と、装置本体３０とを備えている。
【００１２】
図３は、実施の形態１に係るノズル２０の概略構成を示す断面図である。図１〜図３に示すように、ノズル２０は、装置本体３０の上端部に対して着脱自在に取り付けられている。ノズル２０は、装置本体３０から供給された液体（水）を吐出する部材である。ノズル２０は、装置本体３０に着脱自在に装着される基部２１と、基部２１から直線状に延設された直線部２２と、直線部２２の先端から屈曲するように延設された先端部２３とを備えている。ノズル２０には、液体の流路２４が、基部２１、直線部２２及び先端部２３を貫通するように形成されている。流路２４のうち、先端部２３に対応する部分には、他の部分よりも大きさの小さい縮小部２５が設けられている。具体的には、縮小部２５の軸方向視における断面積（開口面積）が、他の部分の軸方向視における断面積よりも小さく形成されている。このように流路２４がベンチュリ構造を有しているので、縮小部２５では流速が増大して圧力が下がる。液体の圧力が飽和蒸気圧まで減少すると、液体の一部が気体へと遷移するため、液体内に気泡が発生する。液体が縮小部２５を通過すると、液体の圧力が徐々に回復する。液体の圧力が飽和蒸気圧以上の状態に戻ると、気泡が液体へと遷移する。このとき、気泡が破裂することにより、瞬間的に高い衝撃波が発生する。この衝撃波は、口腔内の汚れを落とすことに利用できる。すなわち、水流によって口腔内を洗浄するとともに、水流中に気泡を含ませることによって、気泡が破裂するときの衝撃波で口腔内の洗浄効果が更に高まる。  図１及び図２に示すように、装置本体３０は、液体を貯留し、当該液体をノズル２０に対して供給する部位である。具体的には、装置本体３０は、外形がユーザにより把握可能な大きさの略円柱形状に形成されている。装置本体３０の下部には、液体を貯留するためのタンク３１が設けられている。装置本体３０の背面には、タンク３１に連通した図示しない注入口を開閉する蓋３２が取り付けられている。ユーザは、蓋３２を開いて、注入口に対して液体を注入することで、タンク３１内に液体を貯留することができる。
【００１３】
装置本体３０の正面には、電源ボタン３３と、ノズル２０から吐出される液体の圧力を調整するための調整ボタン３４とが設けられている。電源ボタン３３及び調整ボタン３４は、図示しない制御部に電気的に接続されている。制御部は、例えばマイクロコンピュータであり、装置本体３０に内蔵されている。また、装置本体３０には、蓄電池３５と、モータ３６と、ポンプ４０とが内蔵されている。電源ボタン３３がオンされると、蓄電池３５から制御部、モータ３６に対して電力が供給され、電源ボタン３３がオフされると蓄電池３５からの各部に対する電力供給が停止される。調整ボタン３４が操作されると、制御部は、調整ボタン３４から入力された信号に基づいて、モータ３６の出力を調整する。モータ３６は、ポンプ４０の駆動源であるため、モータ３６の出力が調整されることで、ノズル２０から吐出される液体の圧力を調整することができる。
【００１４】
ポンプ４０は、タンク３１内の液体をノズル２０まで供給するポンプである。具体的には、ポンプ４０は、ピストンポンプであり、フェースギア４１と、コンロッド４２と、ピストン４３と、シリンダ４４とを有している。フェースギア４１は、モータ３６の回転軸に取り付けられたピニオン３７に噛み合っている。これによりフェースギア４１は、モータ３６が駆動することで回転したピニオン３７により、回転する。コンロッド４２は、フェースギア４１に対して一体化されている。コンロッド４２の回転中心は、フェースギア４１の回転中心から偏心した位置に配置されている。これにより、コンロッド４２は、フェースギア４１の回転に伴って往復移動することになる。ピストン４３は、コンロッド４２の先端部に取り付けられている。ピストン４３は、コンロッド４２の往復移動に追従して、シリンダ４４内を図２における上下方向に往復摺動する。具体的には、ピストン４３が下死点から上死点に向かう際（以降、吐出時と称す場合もある。）には、シリンダ４４の内圧が高くなり、ピストン４３が上死点から下死点に向かう際（以降、吸い込み時と称す場合もある。）にはシリンダ４４の内圧が低くなる。
【００１５】
装置本体３０には、タンク３１からノズル２０まで液体を供給する供給路５０が設けられている。供給路５０の一部はシリンダ４４から構成されている。また、供給路５０は、シリンダ４４からノズル２０までを結ぶ第一供給路５１と、タンク３１からシリンダ４４までを結ぶ第二供給路５２とを備えている。第一供給路５１には、流路モジュール６０が組み込まれている。つまり、流路モジュール６０は、シリンダ４４よりも下流側に配置されている。
【００１６】
図４は、実施の形態１に係る流路モジュール６０の概略構成を示す断面図である。図５は、実施の形態１に係る流路モジュール６０の概略構成を模式的に示す断面図である。図４及び図５に示すように、流路モジュール６０は、本体部６１と、第一逆止弁８１と、第二逆止弁９１とを備えている。本体部６１には、互いに並列に配置された第一流路７１と、第二流路７２とが設けられている。第一流路７１と、第二流路７２とは、それぞれ本体部６１を上下方向に貫通している。これにより、第一供給路５１の一部分は、第一流路７１と第二流路７２とによって分岐されている。本体部６１は、シリンダ４４と、ノズル２０との間に配置されており、シリンダ４４を構成する構造体４７に対して嵌合している。本体部６１の上端部及び下端部のそれぞれの外周部には、全周に渡って連続した溝部が形成されており、当該各溝部に対してオーリング４８、４９が取り付けられている。オーリング４８、４９が本体部６１と構造体４７との間に配置され、本体部６１と構造体４７のそれぞれに密着するために、本体部６１と構造体４７との間に液体が侵入することを防止している。つまり、液体は、第一流路７１及び第二流路７２の少なくとも一方を流れることになる。
【００１７】
第一流路７１は、第一小径部７１１と、第一大径部７１２と、第一テーパ部７１３とを備えている。第一小径部７１１は、第一流路７１においてノズル２０側の部位であり、円筒状に形成されている。第一大径部７１２は、第一流路７１においてシリンダ４４側の部位であり、第一小径部７１１よりも内径の大きい円筒状に形成されている。第一テーパ部７１３は、第一流路７１において第一小径部７１１と第一大径部７１２との間の部位であり、内周面がテーパ状に形成されている。
【００１８】
第二流路７２は、第二小径部７２１と、第二大径部７２２と、第二テーパ部７２３とを備えている。第二小径部７２１は、第二流路７２においてシリンダ４４側の部位であり、円筒状に形成されている。第二大径部７２２は、第二流路７２においてノズル２０側の部位であり、第二小径部７２１よりも内径の大きい円筒状に形成されている。第二テーパ部７２３は、第二流路７２において第二小径部７２１と第二大径部７２２との間の部位であり、内周面がテーパ状に形成されている。
【００１９】
第一逆止弁８１は、第一流路７１内に配置されており、第一流路７１を開閉する第一弁の一例である。第一逆止弁８１は、第一弁本体８２と、第一保持部８３と、第一バネ８４とを備えている。第一弁本体８２は、第一軸体８２１と、第一軸体８２１の先端部に設けられ、先細りとなる円錐状の第一錐体部８２２とを備えている。第一錐体部８２２の先端は、ノズル２０側を向いている。第一錐体部８２２の基端部は、第一小径部７１１の内径よりも大きく、第一大径部７１２の内径よりも小さい外径となっている。また、第一錐体部８２２の先端部は、第一小径部７１１の内径よりも小さい。これらのことにより、第一錐体部８２２の外周面は、第一小径部７１１の内周面と第一テーパ部７１３の内周面との境界の全周に対して線接触で密着することができ、密着時には第一流路７１を閉状態にする。
【００２０】
第一保持部８３は、第一弁本体８２を軸方向に往復移動自在に保持する部材である。具体的には、第一保持部８３は、二重環状の部材であり、第一内周部８３１と、第一外周部８３２とが、放射状に配置された複数の連結部（図示省略：第三保持部１１３の連結部１１９参照）によって連結されている。第一内周部８３１内には、第一弁本体８２の第一軸体８２１が収容されており、第一内周部８３１の内周面が、第一弁本体８２の第一軸体８２１の往復移動を案内する。第一外周部８３２は、本体部６１における第一流路７１をなす部分に嵌め込まれている。これにより第一外周部８３２の内部空間が、第一流路７１における第一大径部７１２の一部を構成する。
【００２１】
図６は、実施の形態１に係る第一バネ８４の概略構成を示す斜視図である。なお、後述する第二バネ９４及び第三バネ１１４についても、第一バネ８４と概ね同様の構成である。
【００２２】
図６に示すように、第一バネ８４は、コイルバネである。第一バネ８４は、当該第一バネ８４の一端部である第一座巻部８４１と、他端部である第二座巻部８４２と、第一座巻部８４１と第二座巻部８４２との間の中央巻部８４３とを備えている。第一座巻部８４１及び第二座巻部８４２は、それぞれバネ線材の間隔ｓ１が当該バネ線材の直径ｄ１よりも小さい。これにより、例えば組立時において、第一座巻部８４１及び第二座巻部８４２のそれぞれにおけるバネ線材の間隔ｓ１に、他のコイルバネ（例えば他の第一バネ８４、第二バネ９４及び第三バネ１１４）のバネ線材が進入しにくくなる。
【００２３】
また、第一座巻部８４１及び第二座巻部８４２は、それぞれ長手方向に沿う幅Ｈ１が、中央巻部８４３でのバネ線材の間隔ｓ２よりも大きい。これにより、例えば組立時において、中央巻部８４３におけるバネ線材の間隔ｓ２内に、他のコイルバネの第一座巻部及び第二座巻部が進入しにくくなる。これらのことにより、コイルバネ同士の絡まりを抑制することができ、組立時の作業性を高めることができる。
【００２４】
第一バネ８４は、図４及び図５に示すように、第一弁本体８２の第一軸体８２１が挿通されている。第一バネ８４の一端部は、第一弁本体８２の第一錐体部８２２に当接しており、第一バネ８４の他端部は、第一保持部８３に当接している。つまり、第一バネ８４は、第一錐体部８２２と第一保持部８３との間に配置された状態で、第一錐体部８２２に対してノズル２０側に向かう付勢力を付与している。
【００２５】
例えば、吐出時には、第一バネ８４の付勢力によって第一錐体部８２２がノズル２０側に移動する。これにより、第一錐体部８２２の外周面が、第一小径部７１１の内周面と第一テーパ部７１３の内周面との境界の全周に対して線接触で密着し、第一流路７１を閉状態にする。一方、吸い込み時には、シリンダ４４の内圧が低くなり、第一錐体部８２２が第一バネ８４に抗いながらシリンダ４４側に移動する。これにより、第一錐体部８２２が第一小径部７１１と第一テーパ部７１３との境界から離間し、第一流路７１を開状態にする。
【００２６】
第二逆止弁９１は、第二流路７２内に配置されており、第二流路７２を開閉する第二弁の一例である。第二逆止弁９１は、第二弁本体９２と、第二保持部９３と、第二バネ９４とを備えている。第二弁本体９２は、第二軸体９２１と、第二軸体９２１の先端部に設けられ、先細りとなる円錐状の第二錐体部９２２とを備えている。第二錐体部９２２の先端は、シリンダ４４側を向いている。第二錐体部９２２の基端部は、第二小径部７２１の内径よりも大きく、第二大径部７２２の内径よりも小さい外径となっている。また、第二錐体部９２２の先端部は、第二小径部７２１の内径よりも小さい。これらのことにより、第二錐体部９２２の外周面は、第二小径部７２１の内周面と第二テーパ部７２３の内周面との境界の全周に対して線接触で密着することができ、密着時には第二流路７２を閉状態にする。
【００２７】
第二保持部９３は、第二弁本体９２を軸方向に往復移動自在に保持する部材である。具体的には、第二保持部９３は、二重環状の部材であり、第二内周部９３１と、第二外周部９３２とが、放射状に配置された複数の連結部（図示省略：第三保持部１１３の連結部１１９参照）によって連結されている。第二内周部９３１内には、第二弁本体９２の第二軸体９２１が収容されており、第二内周部９３１の内周面が、第二弁本体９２の第二軸体９２１の往復移動を案内する。第二外周部９３２は、本体部６１における第二流路７２をなす部分に嵌め込まれている。これにより第二外周部９３２の内部空間が、第二流路７２における第二大径部７２２の一部を構成する。
【００２８】
第二バネ９４は、第二弁本体９２の第二軸体９２１が挿通されている。第二バネ９４の一端部は、第二弁本体９２の第二錐体部９２２に当接しており、第二バネ９４の他端部は、第二保持部９３に当接している。つまり、第二バネ９４は、第二錐体部９２２と第二保持部９３との間に配置された状態で、第二錐体部９２２に対してシリンダ４４側に向かう付勢力を付与している。
【００２９】
例えば、吸い込み時には、第二バネ９４の付勢力によって第二錐体部９２２がシリンダ４４側に移動する。これにより、第二錐体部９２２の外周面が、第二小径部７２１の内周面と第二テーパ部７２３の内周面との境界の全周に対して線接触で密着し、第二流路７２を閉状態にする。一方、吐出時には、シリンダ４４の内圧が高くなり、第二錐体部９２２が第二バネ９４に抗いながらノズル２０側に移動する。これにより、第二錐体部９２２が第二小径部７２１と第二テーパ部７２３との境界から離間し、第二流路７２を開状態にする。
【００３０】
次に、第二供給路５２について説明する。図２の（ｂ）に示すように、第二供給路５２は、シリンダ４４に対して液体を案内する第三流路の一例である。第二供給路５２におけるシリンダ４４側の一端部は、構造体４７により構成されており、第二供給路５２における残りの部分は、構造体４７に連結されたチューブ９９（図２参照）によって構成されている。第二供給路５２におけるシリンダ４４側の一端部には、第三逆止弁１１１が設けられている。
【００３１】
図７は、実施の形態１に係る第三逆止弁１１１及びその周囲の構造の概略構成を模式的に示す断面図である。具体的には、図７は、図５におけるＶＩＩ−ＶＩＩ線を含む切断面を見た断面図である。
【００３２】
図７に示すように、第二供給路５２のシリンダ４４側の一端部は、ピストン４３の往復移動方向に直交する方向に沿って延設されている。図７においては、ピストン４３が上死点にある状態を図示している。つまり、第二供給路５２の一端部は、ピストン４３が上死点に位置したとしても露出する位置に配置されている。
【００３３】
第二供給路５２の一端部は、第三小径部５２１と、第三大径部５２２と、第三テーパ部５２３とを備えている。第三小径部５２１は、第二供給路５２の一端部においてシリンダ４４から離れた側の部位であり、円筒状に形成されている。第二供給路５２において、第三小径部５２１よりもシリンダ４４から遠い側の部分は、湾曲した後に上下方向に延設されて、タンク３１に連通している。
【００３４】
第三大径部５２２は、第二供給路５２の一端部においてシリンダ４４側の部位であり、第三小径部５２１よりも内径の大きい円筒状に形成されている。第三テーパ部５２３は、第二供給路５２の一端部において第三小径部５２１と第三大径部５２２との間の部位であり、内周面がテーパ状に形成されている。
【００３５】
第三逆止弁１１１は、第二供給路５２の一端部内に配置されており、第二供給路５２を開閉する逆止弁である。第三逆止弁１１１は、第三弁本体１１２と、第三保持部１１３と、第三バネ１１４とを備えている。第三弁本体１１２は、第三軸体１１５と、第三軸体１１５の先端部に設けられ、先細りとなる円錐状の第三錐体部１１６とを備えている。第三錐体部１１６の先端は、シリンダ４４とは反対側を向いている。第三錐体部１１６の基端部は、第三小径部５２１の内径よりも大きく、第三大径部５２２の内径よりも小さい外径となっている。また、第三錐体部１１６の先端部は、第三小径部５２１の内径よりも小さい。これらのことにより、第三錐体部１１６の外周面は、第三小径部５２１の内周面と第三テーパ部５２３の内周面との境界の全周に対して線接触で密着することができ、密着時には第二供給路５２を閉状態にする。
【００３６】
第三保持部１１３は、第三弁本体１１２を軸方向に往復移動自在に保持する部材である。具体的には、第三保持部１１３は、二重環状の部材であり、第三内周部１１７と、第三外周部１１８とが、放射状に配置された複数の連結部１１９によって連結されている。第三内周部１１７内には、第三弁本体１１２の第三軸体１１５が収容されており、第三内周部１１７の内周面が、第三弁本体１１２の第三軸体１１５の往復移動を案内する。第三外周部１１８は、構造体４７における第二供給路５２の一端部をなす部分に嵌め込まれている。これにより第三外周部１１８の内部空間が、第二供給路５２における第三大径部５２２の一部を構成する。
【００３７】
第三バネ１１４は、第三弁本体１１２の第三軸体１１５が挿通されている。第三バネ１１４の一端部は、第三弁本体１１２の第三錐体部１１６に当接しており、第三バネ１１４の他端部は、第三保持部１１３に当接している。つまり、第三バネ１１４は、第三錐体部１１６と第三保持部１１３との間に配置された状態で、第三錐体部１１６に対してシリンダ４４から離れる方向に向かう付勢力を付与している。
【００３８】
例えば、吐出時には、第三バネ１１４の付勢力によって第三錐体部１１６がシリンダ４４から離れる方向に移動する。これにより、第三錐体部１１６の外周面が、第三小径部５２１の内周面と第三テーパ部５２３の内周面との境界の全周に対して線接触で密着し、第二供給路５２を閉状態にする。一方、吸い込み時には、シリンダ４４の内圧が低くなり、第三錐体部１１６が第三バネ１１４に抗いながらシリンダ４４側に移動する。これにより、第三錐体部１１６が第三小径部５２１と第三テーパ部５２３との境界から離間し、第二供給路５２を開状態にする。
【００３９】
ここで、ポンプ４０の始動時においては、第二供給路５２内には空気が残存しているので、吸い込み時には、シリンダ４４内に第二供給路５２よりも大きな負圧を確実に発生させて、タンク３１から液体を吸い上げる必要がある。上述したように、吸い込み時には、第一流路７１及び第二供給路５２が開放されている。このとき、シリンダ４４内が負圧となっているために、始動時であると、第二供給路５２を介してタンク３１から液体がシリンダ４４内に供給されるとともに、ノズル２０の流路２４と第一供給路５１とを介して第一流路７１から空気がシリンダ４４内に供給される。シリンダ４４内には、液体を供給することが前提であり、第一流路７１からの空気の供給量が多くなってしまうことは適切ではない。
【００４０】
このため、本実施の形態では、第一流路７１における第一小径部７１１の断面積（軸方向視における断面積：開口面積）を、第二供給路５２における第三小径部５２１の断面積よりも小さくすることで、第一流路７１からの空気の供給量を抑制し、効率的に第二供給路５２から液体を吸い上げるようにしている。
【００４１】
具体的には、第一小径部７１１の断面積は、第三小径部５２１の断面積の２．２５％以上、４９％以下の範囲に収められている。直径に換算すると、第一小径部７１１の直径は、第三小径部５２１の直径の１５％以上、７０％以下の範囲に収められている。第一小径部７１１の断面積が、第三小径部５２１の断面積の２．２５％よりも小さい場合には、第一流路７１からシリンダ４４に対する空気の供給量が小さいために、ノズル２０の縮小部２５まで空気を引き込むことが困難である。一方、第一小径部７１１の断面積が、第三小径部５２１の断面積の４９％よりも大きい場合には、第一流路７１からシリンダ４４に対する空気の供給量が大きいために、ポンプ４０の始動時にタンク３１からシリンダ４４まで液体を吸い上げるまでかなりの時間を要することになる。上述した範囲に第一小径部７１１の断面積が収められているので、第一流路７１からシリンダ４４に対する空気の供給量を適切にしつつ、始動時にタンク３１からシリンダ４４まで高速に液体を吸い上げることが可能となっている。
【００４２】
また、第一小径部７１１の断面積が第三小径部５２１の断面積よりも小さい場合であっても、第一バネ８４の弾性力が第三バネ１１４の弾性力よりも小さいと、吸い込み時に第一逆止弁８１のみが開状態となって、第三逆止弁１１１は閉状態となりやすい。このため、第一小径部７１１の断面積が第三小径部５２１の断面積よりも小さい場合には、第一バネ８４の弾性力を第三バネ１１４の弾性力に対して同等以上とすることで、吸い込み時に第一逆止弁８１と第三逆止弁１１１との両者を確実に開状態とすることができる。
【００４３】
［動作］
次に、口腔洗浄装置１０の動作について説明する。なお、ここではポンプ４０が始動してから一定時間が経過し、ノズル２０の先端部まで液体が満たされている場合を例示して説明する。図８は、実施の形態１に係る口腔洗浄装置１０において、吸い込み時の各部の状態を示す説明図である。図９は、実施の形態１に係る口腔洗浄装置１０において、吐出時の各部の状態を示す説明図である。図８の（ａ）及び図９の（ａ）は、ノズル２０内の状態を示す断面図である。図８の（ｂ）及び図９の（ｂ）は、流路モジュール６０内の状態を示す断面図である。図８の（ｃ）及び図９の（ｃ）は、第二供給路５２の一端部内の状態を示す断面図である。なお、図８の（ａ）及び図９の（ａ）では、液体Ｌを図示し、残りの図では液体の図示を省略している。
【００４４】
まず、図８の（ｃ）に示すように、吸い込み時には、シリンダ４４の内圧が下がり、負圧となるため、第三逆止弁１１１が第二供給路５２を開状態にする。これにより、シリンダ４４内には、第二供給路５２を介してタンク３１から液体Ｌが供給される。
【００４５】
また、吸い込み時には、図８の（ｂ）に示すように、流路モジュール６０内では、第一逆止弁８１が第一流路７１を開状態にするとともに、第二逆止弁９１が第二流路７２を閉状態にする。このため、ノズル２０の流路２４内を満たしていた液体Ｌは、シリンダ４４内の負圧によって、第一供給路５１を介して第一流路７１からシリンダ４４内に引き込まれて逆流する。これにより、図８の（ａ）に示すように、ノズル２０では、流路２４の先端から縮小部２５の下流側まで空気が引き込まれることになる。
【００４６】
次に、図９の（ｃ）に示すように、吐出時には、シリンダ４４の内圧が上がるため、第三逆止弁１１１が第二供給路５２を閉状態にする。また、吐出時には、図９の（ｂ）に示すように、流路モジュール６０内では、第一逆止弁８１が第一流路７１を閉状態にするとともに、第二逆止弁９１が第二流路７２を開状態にする。このため、シリンダ４４内の液体Ｌが圧縮されて、第二流路７２から、第一供給路５１を介してノズル２０の流路２４内に勢いよく流れ込み、ノズル２０の先端から吐出される。前述したように、縮小部２５の下流まで空気が引き込まれているために、引き込まれた当該空気は、勢いのある液体Ｌによって取り込まれ、液体Ｌ内には多数の気泡Ｂが発生する。また、縮小部２５では、液体Ｌの流速が増大して圧力が下がる。液体Ｌの圧力が飽和蒸気圧まで減少すると、液体Ｌの一部が気体へと遷移するため、液体Ｌ内に気泡Ｂが発生する。このように、液体Ｌ内には、縮小部２５を起因とした気泡Ｂと、すでにノズル２０内に取り込まれていた空気を起因とした気泡Ｂとが発生することになる。液体Ｌは、ノズル２０の先端から吐出され、口腔内に至ることにより、その水流で口腔内を洗浄する。このとき、気泡Ｂが弾けることで衝撃波が生じ、この衝撃波も口腔内の汚れを落とすことにより、総合的な洗浄効果がより高まる。
【００４７】
［比較例］
次に比較例について説明する。比較例においても、ポンプ４０が始動してから一定時間が経過し、ノズル２０の先端部まで液体が満たされている場合を例示して説明する。図１０は、比較例に係る口腔洗浄装置において、吸い込み時の各部の状態を示す説明図である。図１１は、比較例に係る口腔洗浄装置において、吐出時の各部の状態を示す説明図である。図１０の（ａ）及び図１１の（ａ）は、ノズル２０内の状態を示す断面図である。図１０の（ｂ）及び図１１の（ｂ）は、流路モジュール６０ａ内の状態を示す断面図である。図１０の（ｃ）及び図１１の（ｃ）は、第二供給路５２の一端部内の状態を示す断面図である。なお、図１０の（ａ）及び図１１の（ａ）では、液体Ｌを図示し、残りの図では液体の図示を省略している。
【００４８】
なお、比較例に係る口腔洗浄装置は、流路モジュール６０ａに第一流路７１及び第一逆止弁８１がない点で、実施の形態１に係る口腔洗浄装置１０とは異なる。他の部分については、実施の形態１に係る口腔洗浄装置１０とは同等である。このため、比較例では、実施の形態１に係る口腔洗浄装置１０と同一の部分については同一の符号を付してその説明を省略する。
【００４９】
まず、図１０の（ｃ）に示すように、吸い込み時には、シリンダ４４の内圧が下がり、負圧となるため、第三逆止弁１１１が第二供給路５２を開状態にする。これにより、シリンダ４４内には、第二供給路５２を介してタンク３１から液体Ｌが供給される。また、ピストン４３が吸い込み時には、図８の（ｂ）に示すように、流路モジュール６０ａ内では、第二逆止弁９１が第二流路７２を閉状態にする。つまり、図８の（ａ）に示すように、ノズル２０では、流路２４が液体Ｌで満たされた状態となっている。
【００５０】
次に、図１１の（ｃ）に示すように、吐出時には、シリンダ４４の内圧が上がるため、第三逆止弁１１１が第二供給路５２を閉状態にする。また、吐出時には、図１１の（ｂ）に示すように、流路モジュール６０ａ内では、第二逆止弁９１が第二流路７２を開状態にする。このため、シリンダ４４内の液体Ｌが圧縮されて、第二流路７２から第一供給路５１を介してノズル２０の流路２４内に勢いよく流れ込み、ノズル２０の先端から吐出される。液体Ｌは、縮小部２５を通過際には、液体Ｌの流速が増大して圧力が下がる。液体Ｌの圧力が飽和蒸気圧まで減少すると、液体Ｌの一部が気体へと遷移するため、液体Ｌ内に気泡Ｂが発生する。しかし、ノズル２０の流路２４内には空気が引き込まれていないために、気泡Ｂの発生量は、実施の形態１に係る口腔洗浄装置１０と比べても少ない。
【００５１】
［効果など］
以上のように、本実施の形態に係る口腔洗浄装置１０は、ノズル２０と、ノズル２０に対して液体Ｌを供給するポンプ４０とを備え、ノズル２０は、流路２４の途中が他の部分よりも大きさの小さい縮小部２５を有し、ノズル２０とポンプ４０との間には、並列に配置された第一流路７１及び第二流路７２とが設けられており、第一流路７１は、ポンプ４０の吸い込み時にのみ当該第一流路７１を開状態とする第一逆止弁８１（第一弁）を有し、第二流路７２は、ポンプ４０の吐出時にのみ当該第二流路７２を開状態とする第二逆止弁９１（第二弁）を有している。
【００５２】
これによれば、ポンプ４０の吸い込み時には、第一逆止弁８１によって第一流路７１が開状態となっているので、ノズル２０の先端から縮小部２５の下流側まで空気を吸い込むことができる。その後、ポンプ４０の吐出時には、第一逆止弁８１が第一流路７１を閉状態とし、第二逆止弁９１が第二流路７２を開状態とするので、ポンプ４０からノズル２０の流路２４内に液体Ｌが勢いよく流れ込み、ノズル２０の先端から液体Ｌが吐出される。吐出の直前には、縮小部２５の下流まで空気が引き込まれているために、当該空気は、勢いのある液体Ｌによって取り込まれ、液体Ｌ内には多数の気泡Ｂが発生する。また、縮小部２５では、液体Ｌの流速が増大して圧力が下がる。液体Ｌの圧力が飽和蒸気圧まで減少すると、液体Ｌの一部が気体へと遷移するため、液体Ｌ内に気泡Ｂが発生する。このように、液体Ｌ内には、縮小部２５を起因とした気泡Ｂと、すでにノズル２０内に取り込まれていた空気を起因とした気泡Ｂとが発生することになる。液体Ｌがノズル２０の先端から吐出されると、多くの気泡Ｂが弾けることで衝撃波の発生も多くなる。この衝撃波が口腔内に伝わることで、口腔内の汚れを落としやすくなる。このように、本実施の形態に係る口腔洗浄装置１０では、より多くの気泡Ｂを含有した液体Ｌを吐出することができ、洗浄性を向上させることができる。
【００５３】
また、第一弁及び第二弁は互いに逆方向の逆止弁である。
【００５４】
これによれば、第一弁が第一逆止弁８１であり、第二弁が第二逆止弁９１であるので、電気的な制御を行わなくてもポンプ４０の駆動によって、第一逆止弁８１及び第二逆止弁９１を異なるタイミングで開閉することができる。
【００５５】
また、第一流路７１、第一逆止弁８１、第二流路７２及び第二逆止弁９１は、モジュール化されている。
【００５６】
これによれば、第一流路７１、第一逆止弁８１、第二流路７２及び第二逆止弁９１がモジュール化されて流路モジュール６０として形成されているので、製造時においては、単に流路モジュール６０を構造体４７に対して組み付けるだけでよい。したがって、組立時またはメンテナンス時の作業性を高めることができる。
【００５７】
また、流路モジュール６０には、オーリング４８、４９などの水密構造が設けられているので、構造体４７と流路モジュール６０との水密性も容易に確保することができる。
【００５８】
また、口腔洗浄装置１０は、ポンプ４０のシリンダ４４に対して液体Ｌを案内する第二供給路５２（第三流路）と、第二供給路５２に対して設けられ、ポンプ４０の吸い込み時にのみ当該第二供給路５２を開状態とする第三逆止弁１１１（第三弁）とを有し、第一流路７１の断面積は、第二供給路５２の断面積よりも小さい。
【００５９】
これによれば、第一流路７１の断面積が、第二供給路５２の断面積よりも小さいので、ポンプ４０の始動時にタンク３１からシリンダ４４まで確実に液体Ｌを吸い上げることができる。
【００６０】
また、第一流路７１の断面積は、第二供給路５２の断面積の２．２５％以上４９％以下である。
【００６１】
これによれば、第一流路７１の断面積が第二供給路５２の断面積の２．２５％以上４９％以下であるので、第一流路７１からシリンダ４４に対する空気の供給量を適切にしつつ、始動時にタンク３１からシリンダ４４まで高速に液体を吸い上げることができる。
【００６２】
また、第一逆止弁８１に備わる第一バネ８４の弾性力は、第三逆止弁１１１に備わる第三バネ１１４の弾性力に対して同等以上である。
【００６３】
これによれば、第一流路７１の断面積が第二供給路５２の断面積よりも小さい場合には、第一バネ８４の弾性力を第三バネ１１４の弾性力に対して同等以上としている。このため、吸い込み時に第一逆止弁８１と第三逆止弁１１１との両者を確実に開状態とすることができる。また、第一バネ８４と第三バネ１１４として同じ弾性力のコイルバネを採用することもでき、部品共通化も可能である。
【００６４】
［実施の形態２］
実施の形態１では、第一逆止弁８１、第二逆止弁９１及び第三逆止弁１１１の全てにおいて、弁本体（第一弁本体８２、第二弁本体９２及び第三弁本体１１２）が開閉対象（第一流路７１、第二流路７２及び第二供給路５２）の内周面に対して線接触する場合を例示した。実施の形態２では、第一逆止弁８１、第二逆止弁９１及び第三逆止弁１１１と、それぞれの開閉対象とに対する接触面積を調整した口腔洗浄装置について説明する。なお、以降の説明において、上記実施の形態１と同一の部分においては、同一の符号を付してその説明を省略する場合がある。
【００６５】
図１２は、実施の形態２に係る流路モジュール６０ｂの概略構成を模式的に示す断面図である。具体的には図１２は図５に対応する図である。図１２に示すように、第一逆止弁８１及び第二逆止弁９１は上記実施の形態１と同様であるが、第一流路７１ｂ及び第二流路７２ｂが上記実施の形態１と異なる。
【００６６】
具体的には、第一流路７１ｂの第一小径部７１１ｂは、実施の形態１に係る第一小径部７１１よりも内径が小さく形成されている。また、第一流路７１ｂの第一テーパ部７１３ｂは、第一逆止弁８１の第一錐体部８２２と略同等のテーパ角に形成されている。このため、第一逆止弁８１が閉状態である場合には、第一錐体部８２２が第一テーパ部７１３ｂの内周面に対して面接触する。ここで、「略同等」には、完全に一致することだけでなく、数％程度の誤差も含むものとする。数％程度の誤差があったとしても、第一錐体部８２２は、第一バネ８４によって第一テーパ部７１３ｂの内周面に押し付けられるために、第一テーパ部７１３ｂの内周面の全体に対して面接触することになる。本開示において用いられる「略同等」はいずれも同様である。
【００６７】
第二流路７２ｂの第二テーパ部７２３ｂは、内周面が二段式のテーパ状に形成されている。第二テーパ部７２３ｂは、第二小径部７２１に連続する第一段部７２３１と、第二大径部７２２に連続する第二段部７２３２とを有している。第一段部７２３１と、第二段部７２３２とは連続しており、第一段部７２３１の方が第二段部７２３２よりも内径が小さい。また、第一段部７２３１及び第二段部７２３２は、それぞれテーパ状に形成されている。第二テーパ部７２３ｂにおいて小径側である第一段部７２３１は、そのテーパ角が、大径側である第二段部７２３２のテーパ角よりも小さい。
【００６８】
第二逆止弁９１が閉状態である場合には、第二錐体部９２２が第一段部７２３１の内周面に対して接触する。このため、第一段部７２３１のテーパ角は、第二錐体部９２２のテーパ角と略同等に設定されている。数％程度の誤差があったとしても、第二錐体部９２２は、第二バネ９４によって第一段部７２３１の内周面に押し付けられるために、第一段部７２３１の内周面の全体に対して面接触することになる。第二逆止弁９１における第二流路７２の内周面に対する第二接触面積は、第一逆止弁８１における第一流路７１ｂの内周面に対する第一接触面積よりも小さくなるように設定されている。
【００６９】
図１３は、実施の形態２に係る第三逆止弁１１１及びその周囲の構造の概略構成を模式的に示す断面図である。具体的には、図１３は図７に対応する図である。図１３に示すように、第三逆止弁１１１は上記実施の形態１と同様であるが、第二供給路５２ｂの一端部が上記実施の形態１と異なる。
【００７０】
具体的には、第二供給路５２ｂの第三小径部５２１ｂは、実施の形態１に係る第三小径部５２１よりも内径が小さく形成されている。この場合においても、液体Ｌを効率的に吸い上げるために、第三小径部５２１ｂの断面積を、第一流路７１ｂにおける第一小径部７１１ｂの断面積よりも大きくすることが好ましい。
【００７１】
また、第二供給路５２ｂの第三テーパ部５２３ｂは、第一流路７１ｂの第一テーパ部７１３ｂと略同等のテーパ角に設定されている。さらに第二供給路５２ｂの第三テーパ部５２３ｂは、そのテーパ角が第三錐体部１１６のテーパ角と略同等に設定されている。つまり、第三錐体部１１５と第一錐体部８２２とは略同等のテーパ角となる。このため、第一弁本体８２と、第三弁本体１１２とを共通化することが可能である。なお、第二弁本体９２も第一弁本体８２及び第三弁本体１１２と共通化することも可能である。
【００７２】
第三錐体部１１６は、第三バネ１１４によって第三テーパ部５２３ｂの内周面に押し付けられて、当該内周面に対して面接触することになる。この第三逆止弁１１１における第二供給路５２の内周面に対する第三接触面積は、第二接触面積よりも大きく設定されている。
【００７３】
ここで、液体Ｌの吐出の安定性を高めるうえでは、第一逆止弁８１、第二逆止弁９１及び第三逆止弁１１１と、それぞれの開閉対象とに対する接触面積（第一接触面積、第二接触面積及び第三接触面積）を適切に設定することが望ましい。
【００７４】
第一逆止弁８１では、シール性が不安定であると、吐出時の液体は、開状態の第二流路７２だけでなく閉状態の第一流路７１ｂにも不規則に流れてしまい、全体として液体の流れが不安定となり、吐出圧力も不安定となる。このため、第一逆止弁８１では、高いシール性が求められる。ここで、シール性を高くすると、その分、固着する可能性も高くなってしまう。例えば、第一逆止弁８１が固着により動作しなくても液体はポンプ４０内に引き込まれ第二逆止弁９１から吐水されるので、ポンプ４０や第一流路７１ｂ、第二流路７２ｂ内には問題なく液体が循環する。液体の循環により第一逆止弁８１の固着は剥がれるので、第一逆止弁８１が固着したとしても、結果的には問題にならない。
【００７５】
また、第三逆止弁１１１では、吐出時にシリンダ４４内を高圧にするためには、第三逆止弁１１１を第二供給路５２の内周面に対して確実に密着させる必要があり、やはり、シール性を高くしておく方が望ましい。ここで、シール性を高くすると、その分、第三逆止弁１１１においても固着する可能性が高くなってしまう。しかしながら上記実施の形態１と同様、供給路５２ｂにおける第三小径部５２１ｂの断面積（軸方向視における断面積：開口面積）を、第一流路７１ｂにおける第一小径部７１１ｂの断面積よりも大きくすることにより、第三逆止弁１１１の接触面積を、第一逆止弁８１の接触面積よりも小さくしている。これにより、第三逆止弁１１１における固着の可能性は、第一逆止弁８１ほど高くない。
【００７６】
また、第二逆止弁９１は、固着してしまうと、ポンプ４０内の空気を放出できなくなる。その結果、タンク３１内の液体をポンプ４０内に吸い上げられず、吐水を開始できなくなるため、固着させないことが重要となる。そこで、第二逆止弁９１の接触面積は、第一逆止弁８１及び第三逆止弁１１１よりも小さくして固着可能性を下げつつ、必要なシール性が確保されるように設定している。このため、本実施の形態２では、各逆止弁の要求される性能に基づいて各接触面積が設定されている。具体的には、上述したように、第一接触面積＞第三接触面積＞第二接触面積という関係性が満たされている。
【００７７】
［効果など］
以上のように、本実施の形態に係る口腔洗浄装置は、ノズル２０と、ノズル２０に対して液体Ｌを供給するポンプ４０とを備え、ノズル２０は、流路２４の途中が他の部分よりも大きさの小さい縮小部２５を有し、ノズル２０とポンプ４０との間には、並列に配置された第一流路７１ｂ及び第二流路７２ｂとが設けられており、第一流路７１ｂは、ポンプ４０の吸い込み時にのみ当該第一流路７１ｂを開状態とする第一逆止弁８１を有し、第二流路７２ｂは、第一逆止弁８１とは逆方向に動作し、ポンプ４０の吐出時にのみ当該第二流路７２ｂを開状態とする第二逆止弁９１を有し、第一逆止弁８１における第一流路７１ｂの内周面に対する第一接触面積は、第二逆止弁９１における第二流路７２ｂの内周面に対する第二接触面積よりも大きい。
【００７８】
これによれば、第一逆止弁８１における第一接触面積が、第二逆止弁９１における第二接触面積よりも大きいので、第二逆止弁９１よりも高いシール性を第一逆止弁８１で発揮することができる。これにより、吐出時における液体の流れの安定性及び吐出圧力の安定性を確保することができる。したがって、より多くの気泡を含有した液体Ｌを安定して吐出することができ、洗浄性を向上させることができる。
【００７９】
また、本実施の形態に係る口腔洗浄装置は、ポンプ４０のシリンダ４４に対して液体Ｌを案内する第二供給路５２（第三流路）と、第二供給路５２に対して設けられ、ポンプ４０の吸い込み時にのみ当該第二供給路５２を開状態とする第三逆止弁１１１とを有し、第三逆止弁１１１における第二供給路５２の内周面に対する第三接触面積は、第二接触面積よりも大きい。
【００８０】
これによれば、第三逆止弁１１１における第三接触面積が、第二逆止弁９１における第二接触面積よりも大きいので、第二逆止弁９１よりも高いシール性を第三逆止弁１１１で発揮することができる。これにより、吐出時において、第三逆止弁１１１が確実に第二供給路５２の内周面に密着させることができ、シリンダ４４内を高圧にすることができる。したがって、より安定して液体Ｌを吐出することができる。
【００８１】
また、第一逆止弁８１は、第一流路７１ｂを開閉する円錐状の第一錐体部８２２を有し、第一流路７１ｂは、テーパ状に形成された第一テーパ部７１３ｂを有し、第一錐体部８２２は、第一テーパ部７１３ｂにおける小径側の内周面に対して面接触している。
【００８２】
これによれば、第一逆止弁８１に設けられた第一錐体部８２２が、第一テーパ部７１３ｂの小径側の内周面に対して面接触しているので、簡単な構成で面接触を実現することができる。
【００８３】
また、第二逆止弁９１は、第二流路７２ｂを開閉する円錐状の第二錐体部９２２を有し、第二流路７２ｂは、二段式のテーパ状であって、大径側のテーパ角が大きく、小径側のテーパ角が小さいテーパ状に形成された第二テーパ部７２３ｂを有し、第二錐体部９２２は、第二テーパ部７２３ｂにおける小径側の内周面に対して面接触している。
【００８４】
これによれば、第二逆止弁９１に設けられた第二錐体部９２２が、第二テーパ部７２３ｂにおける小径側の内周面に対して面接触しているので、簡単な構成で面接触を実現することができる。
【００８５】
また、第三逆止弁１１１は、第二供給路５２ｂを開閉する円錐状の第三錐体部１１６を有し、第二供給路５２ｂは、テーパ状に形成された第三テーパ部５２３ｂを有し、第三錐体部１１６は、第三テーパ部５２３ｂの内周面に対して面接触している。
【００８６】
これによれば、第三逆止弁１１１に設けられた第三錐体部１１６が、第三テーパ部５２３ｂの内周面に対して面接触しているので、簡単な構成で面接触を実現することができる。
【００８７】
また、第一テーパ部７１３ｂ、第三テーパ部５２３ｂ、第一錐体部８２２及び第三錐体部１１５のそれぞれは同じテーパ角であり、第一テーパ部７１３ｂの小径側の端部の断面積は、第三テーパ部７２３ｂの小径側の端部の断面積よりも小さい。
【００８８】
これによれば、簡単な構成で第一接触面積と第三接触面積とに差をつけることができる。
【００８９】
また、上記した構成は、開閉対象の内周面の形状を調整することで、第一接触面積、第二接触面積及び第三接触面積を調整している。つまり、第一弁本体８２、第二弁本体９２及び第三弁本体１１２は、同一部品であっても各接触面積の関係性を満たすことができる。つまり、第一弁本体８２、第二弁本体９２及び第三弁本体１１２を共通化することができ、製造コストを抑制することが可能である。
【００９０】
［実施の形態３］
上記実施の形態１では、第一流路７１の断面積が第二供給路５２の断面積よりも小さい場合を例示して説明した。しかしながら、第一流路の断面積が、第二供給路の断面積の同等以上であってもよい。この場合、なんの対策も取らないと、第一流路からシリンダに対する空気の供給量が多いため、タンク内の液体をシリンダに吸い上げることは困難である。この対策として、第一逆止弁に備わる第一バネの弾性力を、第三逆止弁に備わる第三バネの弾性力よりも大きくすればよい。第一バネの弾性力が第三バネよりも大きいと、ポンプの吸い込み時において、第一逆止弁の方が第三逆止弁よりも遅いタイミングで開状態に切り替わる。これにより、第一流路からのシリンダに対する空気の供給量を、第二供給路からのシリンダに対する液体Ｌの供給量よりも下げることができ、タンク内の液体を確実にシリンダ内に吸い上げることが可能となる。
【００９１】
［その他］
以上、本発明に係る口腔洗浄装置について、上記各実施の形態に基づいて説明したが、本発明は、上記各実施の形態に限定されるものではない。
【００９２】
例えば、上記実施の形態１では、ポンプとしてピストンポンプを例示した。しかしながら、ポンプは、例えば、ダイヤフラムポンプや、プランジャーポンプなどの往復ポンプであればよい。
【００９３】
また、上記実施の形態１では、口腔洗浄装置１０としてハンディタイプの口腔洗浄装置を例示したが、据え置きタイプの口腔洗浄装置であってもよい。
【００９４】
また、上記実施の形態１では、第一弁、第二弁、第三弁のいずれもが、錐体部を備えた逆止弁である場合を例示した。しかしながら、逆流を防ぐ機能を有しているのであれば、逆止弁の構造は如何様でもよい。例えば、板状の蓋体が開閉する逆止弁などが挙げられる。また、例えば、ゴムやエラストマーなどの、コイルバネ以外の弾性体で弁本体に対して付勢力を付与してもよい。また、逆止弁の構造に応じて、第一流路、第二流路及び第三流路の形状も適宜変更すればよい。このため、第一流路、第二流路及び第三流路の断面形状（開口形状）は円形に限らない。
【００９５】
また、上記実施の形態１では、第一弁、第二弁、第三弁のいずれもが逆止弁である場合を例示した。しかしながら、第一弁、第二弁、第三弁は、電磁弁であってもよい。電磁弁である場合には、制御部で第一弁、第二弁、第三弁のそれぞれの開閉のタイミングを制御することで、ポンプの吸い込み時にのみ第一弁及び第三弁を開状態とし、吐出時にのみ第二弁を開状態とすることが可能である。また、第一弁、第二弁、第三弁は、少なくとも一つが逆止弁であって、残りが電磁弁であってもよい。
【００９６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００９７】
本発明は、液体を吐出することで口腔内を洗浄する口腔洗浄装置に適用可能である。
【符号の説明】
【００９８】
１０  口腔洗浄装置
２０  ノズル
２１  基部
２２  直線部
２３  先端部
２４  流路
２５  縮小部
３０  装置本体
３１  タンク
３２  蓋
３３  電源ボタン
３４  調整ボタン
３５  蓄電池
３６  モータ
３７  ピニオン
４０  ポンプ
４１  フェースギア
４２  コンロッド
４３  ピストン
４４  シリンダ
４７  構造体
４８、４９  オーリング
５０  供給路
５１  第一供給路
５２、５２ｂ  第二供給路（第三流路）
６０、６０ａ、６０ｂ  流路モジュール
６１  本体部
７１、７１ｂ  第一流路
７２、７２ｂ  第二流路
８１  第一逆止弁
８２  第一弁本体
８３  第一保持部
８４  第一バネ
９１  第二逆止弁
９２  第二弁本体
９３  第二保持部
９４  第二バネ
９９  チューブ
１１１  第三逆止弁
１１２  第三弁本体
１１３  第三保持部
１１４  第三バネ
１１５  第三軸体
１１６  第三錐体部
１１７  第三内周部
１１８  第三外周部
１１９  連結部
５２１、５２１ｂ  第三小径部
５２２  第三大径部
５２３、５２３ｂ  第三テーパ部
７１１、７１１ｂ  第一小径部
７１２  第一大径部
７１３、７１３ｂ  第一テーパ部
７２１  第二小径部
７２２  第二大径部
７２３、７２３ｂ  第二テーパ部
８２１  第一軸体
８２２  第一錐体部
８３１  第一内周部
８３２  第一外周部
８４１  第一座巻部
８４２  第二座巻部
８４３  中央巻部
９２１  第二軸体
９２２  第二錐体部
９３１  第二内周部
９３２  第二外周部
７２３１  第一段部
７２３２  第二段部
Ｂ  気泡
ｄ１  直径
Ｈ１  幅
Ｌ  液体
ｓ１、ｓ２  間隔
【図１】
2020116000.tif 000003
【図２】
2020116000.tif 000004
【図３】
2020116000.tif 000005
【図４】
2020116000.tif 000006
【図５】
2020116000.tif 000007
【図６】
2020116000.tif 000008
【図７】
2020116000.tif 000009
【図８】
2020116000.tif 000010
【図９】
2020116000.tif 000011
【図１０】
2020116000.tif 000012
【図１１】
2020116000.tif 000013
【図１２】
2020116000.tif 000014
【図１３】
2020116000.tif 000015